(57)【特許請求の範囲】
【請求項１】
就寝する人の顔の両側に位置し、両肩を覆う左右の肩掛け体が寝具本体の前端部に設けられた掛け布団等、人の身体に掛ける寝具を収納して被覆する寝具カバーであって、この寝具カバーは方形で袋状のカバー本体にカバー本体の裏面側から表面側に頭を表出する頭挿通部が設けられ、この頭挿通部の周端付近に筒状の首回り覆いが付設され、前記頭挿通部の前方に頭挿通部の孔と同一巾で、頭挿通部の周端縁から平行にカバー本体の前端部に向け表布と裏布を縫着して頭載置部が形成されると共に、頭挿通部の両側から頭載置部の両側が肩掛け体収納部とされ、カバー本体の側部又は後端部に寝具を出し入れする開閉可能な開口部が設けられていることを特徴とする寝具カバー。
【請求項２】
首回り覆いの先端周縁部にゴム紐が設けられていることを特徴とする請求項１記載の寝具カバー。
【請求項３】
首回り覆いが伸縮することを特徴とする請求項１記載の寝具カバー。
【発明の詳細な説明】
【０００１】
【発明の属する技術分野】
本発明は、就寝する人の顔の両側に位置し、両肩を覆う肩掛け体が寝具本体の前端部に設けられている掛け布団、掛け毛布等、人の身体に掛ける寝具に使用される寝具カバーに関するものである。
【０００２】
【従来の技術】
従来、布団カバー等の寝具本体の前端部に着脱可能な布団の衿カバーが提案されている。
この衿カバーは衿ぐり部を備えた帯状の衿カバーであって、布団を収納して被覆するものではない。
又、布団カバーが収納する布団は、左右に肩掛け体が設けられた布団ではなく、通常の方形の布団である。
【０００３】
【発明が解決しようとする課題】
掛け布団、掛け毛布等の寝具で、就寝中の掛け布団等の隙間から露出する肩が冷えるのを防止するため、掛け布団等の寝具本体の前端部に寝具本体と一体に連設又は着脱可能に就寝する人の顔の両側に位置し、両肩を覆う左右の肩掛け体が設けられたものが存在する。
【０００４】
しかし、このような肩掛け体は就寝中に寝返りをうつと肩掛け体がずれたり、肩掛け体が寝具本体の内側や外側に折れ曲がって肩の部分が露出して、常時肩が完全に覆われて保温することが不可能である。
【０００５】
そこで、肩掛け体を身体前面から背中に向けて被せ、左右の肩掛け体を繋いだ寝具も提案されているが、これは身体が窮屈で寝返りもうち難く、無理に寝返りをうつと寝具も一緒にずれたり、まくれたりする恐れがある。
【０００６】
上記点より本発明は、就寝する人の顔の両側に位置し、両肩を覆う左右の肩掛け体が寝具本体の前端部に設けられた掛け布団等、人の身体に掛ける寝具の肩掛け体が就寝中に寝返りをうつても肩からずれたり、寝具本体の内側や外側に折れ曲がることが防止され、肩掛け体で常時肩を覆った状態に維持しておくことができる寝具カバーを提供しようとするものである。
【０００７】
【課題を解決するための手段】
上記課題を解決するため請求項１の本発明寝具カバーは、就寝する人の顔の両側に位置し、両肩を覆う左右の肩掛け体が寝具本体の前端部に設けられた掛け布団等、人の身体に掛ける寝具を収納して被覆する寝具カバーであって、この寝具カバーは方形で袋状のカバー本体にカバー本体の裏面側から表面側に頭を表出する頭挿通部が設けられ、この頭挿通部の周端付近に筒状の首回り覆いが付設され、前記頭挿通部の前方に頭挿通部の孔と同一巾で、頭挿通部の周端縁から平行にカバー本体の前端部に向け表布と裏布を縫着して頭載置部が形成されると共に、頭挿通部の両側から頭載置部の両側が肩掛け体収納部とされ、カバー本体の側部又は後端部に寝具を出し入れする開閉可能な開口部が設けられていることを特徴とするものである。
【０００８】
このような構成を有する本発明は、肩掛け体を有する掛け布団等の寝具をカバー本体の開口部から入れ、肩掛け体を両側の肩掛け体収納部に収納し、開口部を閉じる。
【０００９】
そして、就寝者が掛け布団等の寝具を身体に掛け、カバー本体の裏面側から頭を頭挿通部に入れ、カバー本体の表面側に表出し、頭を頭載置部に載せれば、頭載置部と連続する両側の肩掛け体収納部は頭載置部が頭によって押さえられているので、一緒に押さえられていることになり、就寝中に寝返りをうっていも肩掛け体収納部内の肩掛け体は肩からずれたり、掛け布団等の内側や外側に折れ曲がることが防止されるので、肩が露出することはなく、常時肩を覆った状態で就寝可能となる。
【００１０】
又、就寝中首回りは、頭挿通部に付設した筒状の首回り覆いにより被覆されるので保温される。
【００１１】
次に、請求項２の本発明寝具カバーは、請求項１の寝具カバーにおいて、首回り覆いの先端周縁部にゴム紐が設けられていることを特徴とするものである。
【００１２】
このような構成を有する本発明は、ゴム紐により首回り覆いの先端周縁部が首に密着するので、首回りから冷気が寝具内に入り込むことがないと共に、寝具内の暖気も首回りから外部へ逃れることが防止される。
【００１３】
次に、請求項３の本発明寝具カバーは、請求項１の寝具カバーにおいて、首回り覆いが伸縮することを特徴とするものである。
【００１４】
このような構成を有する本発明は、首回り覆いが伸縮するので、首回り覆いが首全体に密着するため、上記のように請求項２の寝具カバー同様の作用を有する。
【００１５】
【発明の実施の形態】
以下、本発明の一実施の形態を図面に基づき説明する。
図１は本発明寝具カバーの一実施の形態を示す平面図、図２は同上の断面図、図３は同上の使用状態を示す平面図、図４は同上の平面図である。
【００１６】
本発明寝具カバーは、就寝する人の顔の両側に位置し、両肩を覆う左右の肩掛け体が寝具本体１の前端部に設けられた掛け布団、掛け毛布等、人の身体に掛ける寝具に使用するカバーである。
而して、図中２は布製の袋状のカバー本体であり、このカバー本体２は掛け布団等の寝具本体１が収納される方形状に形成され、寝具本体１がカバー本体２に収納された状態で、寝具本体１の衿ぐり部３に対応するカバー本体２の位置に、カバー本体２の裏面側から表面側へ頭を表出可能な頭挿通部４が設けられている。
【００１７】
頭挿通部４は円形の孔に形成され、その周端付近に筒状で布製の首回り覆い５り基端部が縫着６されている。
又、首回り覆い５の先端周縁部は輪状の袋体７に形成され、袋体７の内部にゴム紐８が収納されている。
又、首回り覆い５を伸縮性を有する布で形成することもできるが、この場合は袋体７やゴム紐８は不要となる。
【００１８】
９はカバー本体２の頭挿通部４の孔と同一巾で、頭挿通部４の周端縁から平行にカバー本体の前端部１０に向け表布と裏布を縫着１１して、頭挿通部４の前方に形成した袋状の頭載置部である。
【００１９】
そして、頭挿通部４の両側から頭載置部９の両側は、掛け布団等の寝具本体１の肩掛け体１２が収納される袋状の肩掛け体収納部１３が構成されている。
【００２０】
１４はカバー本体の後端部１５に設けた掛け布団等の寝具本体１を出し入れするための開口部であり、ファスナー、釦、ホック等の止着部材１６で開閉可能となっている。
又、開口部１４は、図４に示すように寝具本体１の形状に対応し、カバー本体２も縦長のものとなれば、カバー本体２の後端部１５に変え、側部１７に設けることもできる。
【００２１】
次に、本発明寝具カバーの使用方法を図３を参照して説明する。
カバー本体２の開口部１４をあけて、掛け布団等の寝具本体１を肩掛け体１２がカバー本体２の肩掛け体収納部１３に入るように収納する。
寝具本体１をカバー本体２に収納した後、開口部１４を閉じ、通常の布団１８上に掛ける。
【００２２】
そして、就寝者は顔の上部にカバー本体２の頭挿通部４を位置させ、頭を頭挿通部４に挿通してカバー本体２の表面側に表出すれば、頭挿通部４の前方の頭載置部９上に頭が載置され、カバー本体２を押さえるためカバー本体２に収納されている寝具本体１の左右の肩掛け体１２は固定される。
【００２３】
【発明の効果】
本発明によれば、寝具本体の肩掛け体はカバー本体の頭載置部が頭により押さえられているため、就寝中に寝返りをうっても肩からずれたり、寝具本体の内側や外側に折れ曲がることが防止され、肩が露出して冷えることがなく、常時肩を覆った状態で就寝可能となり、肩掛け体を有する寝具の機能を十分に発揮できるようになった。
又、首回りも首回り覆いにより被覆されるので、首回りから冷気が寝具内に入り込むことがないと共に、寝具内の暖気も首回りから外部へ逃すことがないので、寝冷えの恐れもなく安眠できるものである。
【図面の簡単な説明】
【図１】本発明寝具カバーの一実施の形態を示す平面図である。
【図２】本発明本発明寝具カバーの一実施の形態を示す断面図である。
【図３】本発明寝具カバーの使用状態を示す一部切り欠いた平面図である。
【図４】本発明寝具カバーの一実施の形態を示す平面図である。
【符号の説明】
１  寝具本体
２  カバー本体
３  寝具本体の衿ぐり部
４  頭挿通部
５  首回り覆い
６  縫着
７  袋体
８  ゴム紐
９  頭載置部
１０  前端部
１１  縫着
１２  肩掛け体
１３  肩掛け体収納部
１４  開口部
１５  後端部
１６  止着部材
１７  側部
【図１】
0003704316.tif 000002
【図２】
0003704316.tif 000003
【図３】
0003704316.tif 000004
【図４】
0003704316.tif 000005